(57)【要約】【課題】  使い勝手を向上できるようにする。【解決手段】  再生部、記録部又はダウンロード部の起動要求に応じて、そのとき起動されたときに選択していたコンテンツデータに対応するコンテンツ識別情報を一時記憶し、当該一時記憶されたコンテンツ識別情報に基づいてカレントのコンテンツデータを決定するようにしたことにより、ユーザは、複数のコンテンツデータからの検索をすることなく、カレントのコンテンツデータを再生可能となる。【選択図】        図８
2007080371.tif 000002
【特許請求の範囲】
【請求項１】
記録媒体に記録される複数のコンテンツデータを読み出すと共に、選択されたコンテンツデータを再生する再生部と、
装填された外部記録媒体からコンテンツデータを読み出すと共に、前記記録媒体に記録する記録部と、
外部サーバが記憶するコンテンツデータを前記記憶媒体にダウンロードするダウンロード部と、
前記再生部が動作中に前記記録部あるいは前記ダウンロード部の起動要求を受けると、前記再生部が選択していたコンテンツデータに対応するコンテンツ識別情報を一時記憶すると共に、前記記録部あるいは前記ダウンロード部の起動を実行する第１のリジューム制御部と、
前記記録部が動作中に前記再生部あるいは前記ダウンロード部の起動要求を受けると、前記記録部が直前に前記記録媒体に記録したコンテンツデータに対応するコンテンツ識別情報を一時記憶すると共に、前記再生部あるいは前記ダウンロード部の起動を実行する第２のリジューム制御部と、
前記ダウンロード部が動作中に前記再生部あるいは前記記録部の起動要求を受けると、前記ダウンロード部が直前に前記記録媒体にダウンロードしたコンテンツデータに対応するコンテンツ識別情報を一時記憶すると共に、前記再生部あるいは前記記録部の起動を実行する第３のリジューム制御部と
を具え、
前記再生部は、
前記第１のリジューム制御部、前記第２のリジューム制御部及び前記第３のリジューム制御部により一時記憶された前記コンテンツ識別情報に基づき、カレントのコンテンツデータを決定する
ことを特徴とする記録再生装置。
【請求項２】
前記第１のリジューム制御部、前記第２のリジューム制御部及び前記第３のリジューム制御部は、現在一時記憶されている単一のコンテンツ識別情報を更新する
ことを特徴とする請求項１に記載の記録再生装置。
【請求項３】
前記コンテンツ識別情報の一時記憶させるリジューム制御部を設定する設定部
を具え、
前記設定部により設定された一のリジューム制御部のみが動作する
ことを特徴とする請求項１に記載の記録再生装置。
【請求項４】
リジューム記録要求を受け付ける記録要求受付部
を具え、
前記記録要求受付部がリジューム記録要求を受け付けたときに前記記録部が動作しているときには、その後に動作する前記第２のリジューム制御部により一時記憶されたコンテンツ識別情報の書き換えが一時的に禁止され、
前記記録要求受付部がリジューム記録要求を受け付けたときに前記ダウンロード部が動作しているときには、その後に動作する前記第３のリジューム制御部により一時記憶されたコンテンツ識別情報の書き換えが一時的に禁止される
ことを特徴とする請求項１に記載の記録再生装置。
【請求項５】
前記第１のリジューム制御部、前記第２のリジューム制御部及び前記第３のリジューム制御部は、それぞれ別々に記憶されたコンテンツ識別情報を更新し、
前記再生部は、前記別々に記憶されたコンテンツ識別情報を選択的に参照する
ことを特徴とする請求項１に記載の記録再生装置。
【請求項６】
記録媒体に記録される複数のコンテンツデータを読み出すと共に、選択されたコンテンツデータを再生する再生部と、装填された外部記録媒体からコンテンツデータを読み出すと共に、前記記録媒体に記録する記録部と、外部サーバが記憶するコンテンツデータを前記記憶媒体にダウンロードするダウンロード部との制御方法であって、
前記再生部が動作中に前記記録部あるいは前記ダウンロード部の起動要求を受けると、前記記録部が選択していたコンテンツデータに対応するコンテンツ識別情報を一時記憶すると共に、前記記録部あるいは前記ダウンロード部を起動する第１のリジューム制御処理と、
前記記録部が動作中に前記再生部あるいは前記ダウンロード部の起動要求を受けると、前記記録部が直前に前記記録媒体に記録したコンテンツデータに対応するコンテンツ識別情報を一時記憶すると共に、前記再生部あるいは前記ダウンロード部を起動する第２のリジューム制御処理と、
前記ダウンロード部が動作中に前記再生部あるいは前記記録部の起動要求を受けると、前記ダウンロード部が直前に前記記録媒体にダウンロードしたコンテンツデータに対応するコンテンツ識別情報を一時記憶すると共に、前記再生部あるいは前記記録部を起動する第３のリジューム制御処理とのいずれかを実行する処理実行ステップと、
前記第１のリジューム制御処理、前記第２のリジューム制御処理及び前記第３のリジューム制御処理により一時記憶された前記コンテンツ識別情報に基づき、カレントのコンテンツデータを決定するカレントコンテンツ決定ステップと
を具えることを特徴とする記録再生方法。
【請求項７】
記録媒体に記録される複数のコンテンツデータを読み出すと共に、選択されたコンテンツデータを再生する再生部と、装填された外部記録媒体からコンテンツデータを読み出すと共に、前記記録媒体に記録する記録部と、外部サーバが記憶するコンテンツデータを前記記憶媒体にダウンロードするダウンロード部とを制御するプログラムであって、
前記再生部が動作中に前記記録部あるいは前記ダウンロード部の起動要求を受けると、前記記録部が選択していたコンテンツデータに対応するコンテンツ識別情報を一時記憶すると共に、前記記録部あるいは前記ダウンロード部を起動する第１のリジューム制御処理と、
前記記録部が動作中に前記再生部あるいは前記ダウンロード部の起動要求を受けると、前記記録部が直前に前記記録媒体に記録したコンテンツデータに対応するコンテンツ識別情報を一時記憶すると共に、前記再生部あるいは前記ダウンロード部を起動する第２のリジューム制御処理と、
前記ダウンロード部が動作中に前記再生部あるいは前記記録部の起動要求を受けると、前記ダウンロード部が直前に前記記録媒体にダウンロードしたコンテンツデータに対応するコンテンツ識別情報を一時記憶すると共に、前記再生部あるいは前記記録部を起動する第３のリジューム制御処理と、
前記第１のリジューム制御処理、前記第２のリジューム制御処理及び前記第３のリジューム制御処理により一時記憶された前記コンテンツ識別情報に基づき、カレントのコンテンツデータを決定するカレントコンテンツ決定処理と
を具えることを特徴とするプログラム。
【発明の詳細な説明】
【技術分野】
【０００１】
本発明は記録再生装置、制御方法及びプログラムに関し、例えばオーディオデータを記録再生する場合に適用して好適なものである。
【背景技術】
【０００２】
従来、記録再生装置記録再生装置には、複数の入手先から何万曲もの音声コンテンツをデータとしてハードディスクドライブに記録し、その記録したデータを再生することができるものがある。
【０００３】
しかしながら、このような記録再生装置では、最近に記録した未再生の音声コンテンツのデータを再生する場合、ハードディスクドライブに記録された複数のデータのなかから検索する必要があり、ユーザに対して使い勝手を悪かった。
【０００４】
この点、再生中に停止ボタンを操作したときには、このとき再生しているトラックを示すデータをメモリに保持し、次に再生ボタンを操作したとき、当該メモリからデータを読み出し、そのデータに従って停止ボタンを操作したときに再生していたトラックの先頭位置から再生を開始するようにした記録再生装置が提案されている（例えば特許文献１参照）。
【特許文献１】特開２０００−１８２３６４公報
【発明の開示】
【発明が解決しようとする課題】
【０００５】
ところでかかる構成の記録再生装置においては、再生途中に停止されたトラックをまた最初から再生することはできるが、未再生の音声コンテンツのデータを再生することはできないため、未だに、複数のデータのなかから最近に記録した未再生の音声コンテンツのデータを検索する必要があり、ユーザに対して使い勝手を悪かった。
【０００６】
本発明は以上の点を考慮してなされたもので、使い勝手を向上し得る記録再生装置、制御方法及びプログラムを提案しようとするものである。
【課題を解決するための手段】
【０００７】
かかる課題を解決するため本発明は、記録再生装置であって、記録媒体に記録される複数のコンテンツデータを読み出すと共に、選択されたコンテンツデータを再生する再生部と、装填された外部記録媒体からコンテンツデータを読み出すと共に、記録媒体に記録する記録部と、外部サーバが記憶するコンテンツデータを記憶媒体にダウンロードするダウンロード部と、再生部が動作中に記録部あるいはダウンロード部の起動要求を受けると、再生部が選択していたコンテンツデータに対応するコンテンツ識別情報を一時記憶すると共に、記録部あるいはダウンロード部の起動を実行する第１のリジューム制御部と、記録部が動作中に再生部あるいはダウンロード部の起動要求を受けると、記録部が直前に記録媒体に記録したコンテンツデータに対応するコンテンツ識別情報を一時記憶すると共に、再生部あるいはダウンロード部の起動を実行する第２のリジューム制御部と、ダウンロード部が動作中に再生部あるいは記録部の起動要求を受けると、ダウンロード部が直前に記録媒体にダウンロードしたコンテンツデータに対応するコンテンツ識別情報を一時記憶すると共に、再生部あるいは記録部の起動を実行する第３のリジューム制御部とを設け、再生部では、第１のリジューム制御部、第２のリジューム制御部及び第３のリジューム制御部により一時記憶されたコンテンツ識別情報に基づき、カレントのコンテンツデータを決定するようにした。
【０００８】
従ってこの記録再生装置では、記録媒体に対する記録履歴及び再生履歴のなかから、最も再生可能性の高いカレントのコンテンツデータを決定することができるため、ユーザは、複数のコンテンツデータからの検索をすることなく、カレントのコンテンツデータを再生可能となる。
【０００９】
また本発明は、記録媒体に記録される複数のコンテンツデータを読み出すと共に、選択されたコンテンツデータを再生する再生部と、装填された外部記録媒体からコンテンツデータを読み出すと共に、記録媒体に記録する記録部と、外部サーバが記憶するコンテンツデータを記憶媒体にダウンロードするダウンロード部との制御方法であって、再生部が動作中に記録部あるいはダウンロード部の起動要求を受けると、記録部が選択していたコンテンツデータに対応するコンテンツ識別情報を一時記憶すると共に、記録部あるいはダウンロード部を起動する第１のリジューム制御処理と、記録部が動作中に再生部あるいはダウンロード部の起動要求を受けると、記録部が直前に記録媒体に記録したコンテンツデータに対応するコンテンツ識別情報を一時記憶すると共に、再生部あるいはダウンロード部を起動する第２のリジューム制御処理と、ダウンロード部が動作中に再生部あるいは記録部の起動要求を受けると、ダウンロード部が直前に記録媒体にダウンロードしたコンテンツデータに対応するコンテンツ識別情報を一時記憶すると共に、再生部あるいは記録部を起動する第３のリジューム制御処理とのいずれかを実行する処理実行ステップと、第１のリジューム制御処理、第２のリジューム制御処理及び第３のリジューム制御処理により一時記憶されたコンテンツ識別情報に基づき、カレントのコンテンツデータを決定するカレントコンテンツ決定ステップとを設けるようにした。
【００１０】
従ってこの制御方法では、記録媒体に対する記録履歴及び再生履歴のなかから、最も再生可能性の高いカレントのコンテンツデータを決定することができるため、ユーザは、複数のコンテンツデータからの検索をすることなく、カレントのコンテンツデータを再生可能となる。
【００１１】
さらに本発明は、記録媒体に記録される複数のコンテンツデータを読み出すと共に、選択されたコンテンツデータを再生する再生部と、装填された外部記録媒体からコンテンツデータを読み出すと共に、記録媒体に記録する記録部と、外部サーバが記憶するコンテンツデータを記憶媒体にダウンロードするダウンロード部とを制御するプログラムであって、再生部が動作中に記録部あるいはダウンロード部の起動要求を受けると、記録部が選択していたコンテンツデータに対応するコンテンツ識別情報を一時記憶すると共に、記録部あるいはダウンロード部を起動する第１のリジューム制御処理と、記録部が動作中に再生部あるいはダウンロード部の起動要求を受けると、記録部が直前に記録媒体に記録したコンテンツデータに対応するコンテンツ識別情報を一時記憶すると共に、再生部あるいはダウンロード部を起動する第２のリジューム制御処理と、ダウンロード部が動作中に再生部あるいは記録部の起動要求を受けると、ダウンロード部が直前に記録媒体にダウンロードしたコンテンツデータに対応するコンテンツ識別情報を一時記憶すると共に、再生部あるいは記録部を起動する第３のリジューム制御処理と、第１のリジューム制御処理、第２のリジューム制御処理及び第３のリジューム制御処理により一時記憶されたコンテンツ識別情報に基づき、カレントのコンテンツデータを決定するカレントコンテンツ決定処理とを実行させるようにした。
【００１２】
従って、このプログラムでは、記録媒体に対する記録履歴及び再生履歴のなかから、最も再生可能性の高いカレントのコンテンツデータを決定することができるため、ユーザは、複数のコンテンツデータからの検索をすることなく、カレントのコンテンツデータを再生可能となる。
【発明の効果】
【００１３】
本発明によれば、再生部、記録部又はダウンロード部の起動要求に応じて、そのとき起動されたときに選択していたコンテンツデータに対応するコンテンツ識別情報を一時記憶し、当該一時記憶されたコンテンツ識別情報に基づいてカレントのコンテンツデータを決定するようにしたことにより、記録媒体に対する記録履歴及び再生履歴のなかから、最も再生可能性の高いカレントのコンテンツデータを決定することができるため、複数のコンテンツデータからの検索をすることなく、カレントのコンテンツデータを再生可能となり、かくして使い勝手を向上することができる。
【発明を実施するための最良の形態】
【００１４】
（１）本発明の概要
図１において、１は本発明の概要による記録装置を示し、当該記録装置１内に搭載された記録媒体ＲＭと、その記録媒体に対して、音声や映像等のコンテンツを表すコンテンツデータを記録し、当該記録されたコンテンツデータを再生する記録再生処理部２と、記録再生処理部２を制御する制御部３とを有する。
【００１５】
この記録再生処理部２は、記録媒体ＲＭに記録される複数のコンテンツデータを読み出すと共に、選択されたコンテンツデータを再生する再生部４と、装填された外部記録媒体ＯＴＭからコンテンツデータを読み出すと共に、記録媒体ＲＭに記録する記録部５と、外部サーバＯＵＳが記憶するコンテンツデータを記憶媒体ＲＭにダウンロードするダウンロード部と６とによって構成される。
【００１６】
一方、制御部３は、第１〜第３のリジューム制御部７、８及び９からなり、当該第１のリジューム制御部７は、再生部４が動作中に記録部５あるいはダウンロード部６の起動要求を受けると、再生部４が選択していたコンテンツデータに対応するコンテンツ識別情報を一時記憶すると共に、記録部５あるいはダウンロード部６の起動を実行する。
【００１７】
また第２のリジューム制御部８は、記録部５が動作中に再生部４あるいはダウンロード部６の起動要求を受けると、記録部５が直前に記録媒体ＲＭに記録したコンテンツデータに対応するコンテンツ識別情報を一時記憶すると共に、再生部４あるいはダウンロード部６の起動を実行する。
【００１８】
さらに第３のリジューム制御部９は、ダウンロード部６が動作中に再生部４あるいは記録部５の起動要求を受けると、ダウンロード部６が直前に記録媒体ＲＭにダウンロードしたコンテンツデータに対応するコンテンツ識別情報を一時記憶すると共に、再生部４あるいは記録部５の起動を実行するようになされている。
【００１９】
そしてこの記録再生処理部２における再生部４は、かかる第１のリジューム制御部７、第２のリジューム制御部８及び第３のリジューム制御部９により一時記憶されたコンテンツ識別情報に基づいて、カレントのコンテンツデータを決定する。具体的には、例えばそのコンテンツ識別情報に対応するコンテンツデータを基準とし、所定のソート条件に従ってソートした複数のコンテンツデータを決定する。
【００２０】
このようにこの記録再生装置は、記録媒体に対する記録履歴及び再生履歴のなかから、最も再生可能性の高いカレントのコンテンツデータを決定することができるため、ユーザは、複数のコンテンツデータからの検索をすることなく、カレントのコンテンツデータを再生し得るようになされている。
【００２１】
（２）本発明の実施の形態
以下、本発明の一実施の形態を詳述する。
【００２２】
（２−１）全体構成
図２において、１０は所定単位でなる音声コンテンツのデータ（以下、これを単位音声データと呼ぶ）を記録及び再生するコンテンツ記録再生装置の全体構成を示し、このコンテンツ記録再生装置１０全体の制御を司るＣＰＵ（Central Processing Unit）１１と、当該ＣＰＵ１１に対してバス１２を介して接続された複数のハードウェアとによって構成される。
【００２３】
このＣＰＵ１１には、操作キー１３に対する各種操作に応じた命令が、当該操作キー１３から与えられる。ＣＰＵ１１は、操作キー１３から与えられる命令に基づいてユーザの操作内容を認識し、ＥＥＰＲＯＭ（Electronically Erasable and Programmable Read Only Memory）１４に格納された各種プログラムを適宜読み出す。そしてＣＰＵ１１は、読み出したプログラムをＲＡＭ（Random Access Memory）１５上で実行することにより各ハードウェアを適宜制御するようになされている。
【００２４】
すなわちＣＰＵ１１は、ネットワークＮＴ上のコンテンツ配信サーバにおいて曲単位ごとに管理される音声データをダウンロードする操作を認識した場合、動作モードをダウンロードモード（以下、これを第１の記録モードと呼ぶ）に遷移させる。
【００２５】
この場合、ＣＰＵ１１は、そのダウンロード操作で指定された曲に対応する単位音声データの配信要求を要求信号として、ネットワークインタフェース１６を介してネットワークＮＴ上のコンテンツ配信サーバに送信する。
【００２６】
そしてＣＰＵ１１は、かかる要求信号の応答としてコンテンツ配信サーバから配信される音声圧縮データと、当該音声圧縮データにおけるタイトルを表すデータ（以下、これをタイトルデータと呼ぶ）とをネットワークインタフェース１６を介して受信し、当該音声圧縮データを音声処理部１７に送出すると共に、タイトルデータをＲＡＭ１５に一時的に保持する。
【００２７】
音声処理部１７は、例えばＡＴＲＡＣ(Adaptive TRansform Acoustic Coding(登録商標))やＭＰ３(MPEG Audio Layer-3(登録商標))等の複数の音声圧縮方式に準拠したプログラムを保持するメモリと、ＤＳＰ(Digital Signal Processor)とを含む構成でなり、供給される音声圧縮データに対して、対応する音声伸張処理等を施すことによって単位音声データを復元する。
【００２８】
ＣＰＵ１１は、この音声処理部１７において復元された単位音声データを、ＲＡＭ１５に一時的に保持しておいたタイトルデータと関連付けした状態でハードディスクドライブ１８に記録する。なお、ＣＰＵ１１は、コンテンツ配信サーバからタイトルデータが配信されない場合には、例えば、当該単位音声データにおけるタイトル名を操作キー１３から入力させ、当該入力されるタイトルのデータを単位音声データに関連付けるようになされている。
【００２９】
このようにしてコンテンツ再生装置１０は、ネットワークＮＴ上のコンテンツ配信サーバに保持された音声データを曲単位ごとにハードディスクドライブ１８に記録することができるようになされている。
【００３０】
またＣＰＵ１１は、ＣＤ(Compact Disk(登録商標))１９の記録層にトラック単位ごとに保持された音声データをリッピングする操作を認識した場合、動作モードをリッピングモード（以下、これを第２の記録モードと呼ぶ）に遷移させる。
【００３１】
この場合、ＣＰＵ１１は、その録音操作で指定されたトラックに対応する音声圧縮データと、ＣＤ１９のＴＯＣ(Table Of Contents)領域に書き込まれたデータ（以下、これをＴＯＣデータと呼ぶ）とをＣＤドライブ２０を介して再生する。そしてＣＰＵ１１は、ＴＯＣデータのうち、再生対象の音声圧縮データにおけるタイトルをタイトルデータとしてＲＡＭ１５に一時的に保持すると共に、当該音声圧縮データを音声処理部１７に送出する。この音声圧縮データは、音声処理部１７において対応する音声伸張処理等が施され、単位音声データとして復元される。
【００３２】
ＣＰＵ１１は、この音声処理部１７において復元された単位音声データを、ＲＡＭ１５に一時的に保持したタイトルデータと関連付けした状態でハードディスクドライブ１８に記録する。なお、ＣＰＵ１１は、再生対象の音声圧縮データにおけるタイトルがＴＯＣデータにない場合には、第１の記録モードの場合と同様に、例えば操作キー１３から入力されるタイトルのデータを単位音声データに関連付けるようになされている。
【００３３】
さらにＣＰＵ１１は、ＨＤＲ(Hard Disk Recorder)２１にトラック単位ごとに保持された音声データをリッピングする操作を認識した場合、動作モードをリッピングモード（以下、これを第３の記録モードと呼ぶ）に遷移させる。
【００３４】
この場合、ＣＰＵ１１は、その録音操作で指定されたトラックに対応する音声圧縮データと、当該音声圧縮データにおけるタイトルデータとをＵＳＢ(Universal Serial Bus(登録商標))インタフェース２２を介してＨＤＲ２１から読み出し、当該音声圧縮データを音声処理部１７に送出すると共に、タイトルデータをＲＡＭ１５に一時的に保持する。この音声圧縮データは、音声処理部１７において対応する音声伸張処理等が施され、単位音声データとして復元される。
【００３５】
ＣＰＵ１１は、この音声処理部１７において復元された単位音声データを、ＲＡＭ１５に一時的に保持したタイトルデータと関連付けした状態でハードディスクドライブ１８に記録する。なお、ＣＰＵ１１は、再生対象の音声圧縮データにおけるタイトルがＴＯＣデータにない場合には、第１の記録モードの場合と同様に、例えば操作キー１３から入力されるタイトルのデータを単位音声データに関連付けるようになされている。
【００３６】
このようにしてコンテンツ再生装置１０は、ＣＤ１９やＨＤＲ２１に保持された音声データをトラック単位ごとにハードディスクドライブ１８に記録することができるようになされている。
【００３７】
またＣＰＵ１１は、チューナ２３や外部入力端子２４から入力される音声をライブ録音する操作を認識した場合、動作モードをライブ録音モード（以下、これを第４の記録モードと呼ぶ）に遷移させる。
【００３８】
この場合、ＣＰＵ１１は、チューナ２３や外部入力端子２４から入力され、アナログ処理回路２５においてアナログデジタル変換処理などの所定の信号処理が施された結果得られる音声データを、音声処理部１７に一時的に記憶していく。
【００３９】
そしてＣＰＵ１１は、操作キー１３での録音終了操作時をトリガーとし、当該録音終了操作時までに音声処理部１７に一時記憶された音声データを単位音声データとして生成する。またＣＰＵ１１は、単位音声データにおけるタイトルを操作キー１３から入力させ、当該単位音声データをタイトルデータと関連付けした状態でハードディスクドライブ１８に記録する。
【００４０】
このようにしてコンテンツ再生装置１０は、リアルタイムに入力される音声データを、操作キー１３で指定された単位ごとにハードディスクドライブ１８に記録することができるようになされている。
【００４１】
一方、ＣＰＵ１１は、ハードディスクドライブ１８に記録した単位音声データを再生する操作を認識した場合、動作モードを再生モードに遷移させる。
【００４２】
この場合、ＣＰＵ１１は、ハードディスクドライブ１８に記録されている単位音声データに対応するタイトルデータをそれぞれ読み出し、これらタイトルデータに基づいて再生すべき単位音声データをユーザに選択させる。そしてＣＰＵ１１は、操作キー１３を介してユーザにより選択された単位音声データをハードディスクドライブ１８から読み出し、これを音声処理部１７を介してアナログ処理回路２５に送出する。
【００４３】
アナログ処理回路２５は、音楽コンテンツに対してデジタルアナログ変換処理及び増幅処理などの所定の信号処理を施し、この結果得られる音楽信号を外部のスピーカ２６から音声として出力させる。
【００４４】
このようにしてコンテンツ再生装置１０は、ハードディスクドライブ１８に記録した単位音声データを再生することができるようになされている。
【００４５】
なお、ＣＰＵ１１は、ハードディスクドライブ１８に記録した単位音声データを読み出し、これをＣＤ１９やＨＤＲ２１に転送し得るようにもなされている。またＣＰＵ１１は、ＣＤ１９やＨＤＲ２１に記録された音声データや、チューナ２３や外部入力端子２４からアナログ処理回路２５を介して入力される音声データを再生し得るようにもなされている。
【００４６】
他方、ＣＰＵ１１は、ＥＥＰＲＯＭ１４から読み出した各種プログラムの実行（例えば音声データのダウンロード、リッピング、ライブ録音及び再生など）時に適宜表示用データを生成し、これを表示コントローラ２７に送出し、当該表示コントローラ２７を介して、表示用データに基づく画面を外部のディスプレイ２８に表示する。このようにしてコンテンツ記録再生装置１は、ディスプレイ２８を介して、音声データのダウンロード、リッピング、録音及び再生などに関する各種画面をユーザに視認させることができるようになされている。
【００４７】
このようにこのコンテンツ記録再生装置１０は、複数の外部入手先から単位音声データを取得してハードディスクドライブ１８に記録し、当該記録した単位音声データを再生することができるようになされている。
【００４８】
（２−２）選択画面表示機能
かかる構成に加えて、このコンテンツ記録再生装置１では、ハードディスクドライブ１８に記録された単位音声データを再生する場合、ハードディスクドライブ１８に対する単位音声データの記録履歴を、最近のものから順に選択画面として表示する選択画面表示機能が搭載されている。
【００４９】
実際上、ＣＰＵ１１は、第１乃至第４の記録モード（ダウンロードモード、第１のリッピングモード、第２のリッピングモード又はライブ録音モード）を実行する度に、ハードディスクドライブ１８に記録される単位音声データの記録順位を表す番号（以下、これをコンテンツ番号と呼ぶ）を発行する。
【００５０】
そしてＣＰＵ１１は、コンテンツ番号を発行したときには、当該発行したコンテンツ番号に、そのとき遷移させた動作モードを識別するためのモード識別子を付加し、これらコンテンツ番号及びモード識別子を、その動作モード時に取得した単位音声データ及びタイトルデータに関連付けて、データベースに登録する。
【００５１】
またＣＰＵ１１は、コンテンツ番号を発行したときには、当該発行したコンテンツ番号をＥＥＰＲＯＭ１４に一時記憶し、当該ＥＥＰＲＯＭ１４におけるコンテンツ番号を最新の順位のものに更新するようになされている。
【００５２】
この状態においてＣＰＵ１１は、動作モードを再生モードに遷移させた場合、このときＥＥＰＲＯＭ１４に一時記憶されているコンテンツ番号に関連付けられたタイトルデータと、当該タイトルデータ以外の残りのタイトルデータとをそれぞれ読み出し、これらタイトルデータに基づいて選択画面をディスプレイ２８に表示する。
【００５３】
具体的には例えば図３に示すように、ＣＰＵ１１は、コンテンツ番号に関連付けられた各タイトルを降順にスクロール可能な状態で並べて示すタイトル表示領域ＡＲ１と、単位音声データの入手先を示す入手先表示領域ＡＲ２と、再生対象のコンテンツを選択すべき旨のコメントＣＭとを含む選択画面ＣＳＲを表示する。そしてＣＰＵ１１は、このときＥＥＰＲＯＭ１４に一時記憶されたコンテンツ番号に関連付けられているタイトルをカレントとし、当該カレントタイトルＣＵＴにカーソルＣＵを配置するようになされている。
【００５４】
従って、このコンテンツ記録再生装置１０では、複数のタイトルが一定の秩序を保って並べられると共に、最も再生可能性の高い最新の記録対象となるタイトル上にカーソルＣＵが配置されるため、ユーザは、記録履歴を即座にかつ直感的に把握することができ、この結果、希望タイトルを容易に選択することができることとなる。
【００５５】
さらにこの実施の形態におけるコンテンツ記録再生装置１０では、第１〜第４の記録モード及び再生モードのうち、ユーザの着目すべきモードとして設定された設定モードでの記録履歴又は再生履歴（ハードディスクドライブ１８に対するアクセス履歴）を、最近のものから順に選択画面として表示し得るようにもなされている。
【００５６】
実際上、ＣＰＵ１１は、所定のモード設定操作を認識した場合、「ハードディスクドライブ１８に対するアクセス履歴のうち、いずれのモードでのアクセス履歴を再生時に表示しますか」等といったコメントと、第１乃至第４の記録モード（ダウンロードモード、第１のリッピングモード、第２のリッピングモード、ライブ録音モード）及び再生モードに対応するチェックボックスとを含む設定画面を、表示コントローラ２７を介してディスプレイ２８に表示する。
【００５７】
そしてＣＰＵ１１は、この設定画面を介して操作キー１３から設定された内容をデータ（以下、これを設定データと呼ぶ）として生成し、これをＥＥＰＲＯＭ１４に登録する。
【００５８】
この状態においてＣＰＵ１１は、ＥＥＰＲＯＭ１４に登録した動作モードを実行する度に、そのとき発行したコンテンツ番号をＥＥＰＲＯＭ１４に一時記憶することによって、当該ＥＥＰＲＯＭ１４におけるコンテンツ番号を順次更新するようになされている。
【００５９】
具体的には、例えば第１の記録モード（ダウンロードモード）を設定した場合、図４に示すように、ＣＰＵ１１は、当該設定された以降に第１の記録モードを実行する度に、そのとき発行したコンテンツ番号ＮＢ１３、ＮＢ１７、ＮＢ１８を順次更新する。
【００６０】
そしてＣＰＵ１１は、動作モードを再生モードに遷移させたときには、図５に示すように、このときＥＥＰＲＯＭ１４に一時記憶しているコンテンツ番号ＮＢ１８（図４）に関連付けられたカレントタイトルＣＵＴと、第１の記録モード（ダウンロードモード）に対応する各タイトルＲＴｉとを降順に並べ、その後に他の動作モードに対応する各タイトルＯＴｊを降順に並べてタイトル表示領域ＡＲ１に示すと共に、当該カレントタイトル上にカーソルＣＵを配置する。
【００６１】
一方、例えば再生モードを設定した場合、図６に示すように、ＣＰＵ１１は、当該設定された以降に再生モードを実行する度に、当該再生対象となった単位音声データに関連付けられたコンテンツ番号ＮＢ２４、ＮＢ２６、ＮＢ２７、ＮＢ２８をＥＥＰＲＯＭ１４に一時記憶することによって、当該ＥＥＰＲＯＭ１４におけるコンテンツ番号を順次更新する。
【００６２】
そしてＣＰＵ１１は、動作モードを再生モードに遷移させたときには、図７に示すように、このときＥＥＰＲＯＭ１４に一時記憶しているコンテンツ番号ＮＢ２８（図６）に関連付けられたカレントタイトルＣＵＴと、再生モードに対応する各タイトルＲＴｋとを降順に並べ、その後に他の動作モードに対応する各タイトルＯＴｌを降順に並べてタイトル表示領域ＡＲ１に示すと共に、当該カレントタイトル上にカーソルＣＵを配置する。ちなみに、この再生モードでのカレントタイトルは、図６及び図７からも明らかなように、再生モードの遷移時点の１つ前の再生モードで再生された単位音声データのタイトルとなる。
【００６３】
このようにこのコンテンツ記録再生装置１０では、複数のタイトルのうち、ユーザが着目すべきモードに関するタイトルが一定の秩序を保って並べられると共に、当該モードでの最終履歴となるタイトル上にカーソルＣＵが配置されるため、ユーザは、着目モードの記録履歴又は再生履歴をより一段と即座にかつ直感的に把握することができ、この結果、希望タイトルを容易に選択することができることとなる。
【００６４】
（２−３）記録再生処理手順
ここで、上述したＣＰＵ１１による記録再生処理手順を図８に示すフローチャートを用いて説明する。
【００６５】
すなわちＣＰＵ１１は、このコンテンツ記録再生装置１０における起動操作を認識すると、この記録再生処理手順ＲＴをステップＳＰ０において開始し、続くステップＳＰ１において、第１〜第４の記録モード又は再生モードを実行すべき命令を待ち受け、当該実行命令を操作キー１３から受けると、続くステップＳＰ２において、当該実行命令の内容を認識する。
【００６６】
そしてＣＰＵ１１は、実行命令の内容が第１乃至第４の記録モードであった場合には、ステップＳＰ３に移り、このステップＳＰ３において、このとき受けた第１乃至第４の記録モードに動作モードを遷移させ、単位音声データ及びタイトルデータをハードディスクドライブ１８（図２）に記録する。
【００６７】
次いで、ＣＰＵ１１は、ステップＳＰ４において、コンテンツ番号及びモード識別子を発行し、続くステップＳＰ５において、これらコンテンツ番号及びモード識別子を、ステップＳＰ３で記録した単位音声データ及びタイトルデータに関連付けてデータベースに登録する。
【００６８】
またＣＰＵ１１は、次のステップＳＰ６において、ユーザの着目すべき動作モードが設定されているか否かを判定する。ここで否定結果が得られた場合、このことは所定の設定操作に応じて生成される設定データがＥＥＰＲＯＭ１４に登録されていないことを意味し、この場合、ＣＰＵ１１は、次のステップＳＰ７において、ステップＳＰ４で発行したコンテンツ番号をＥＥＰＲＯＭ１４に一時記憶し、ステップＳＰ１に戻る。
【００６９】
これに対して肯定結果が得られた場合、このことは所定の設定操作に応じて生成される設定データがＥＥＰＲＯＭ１４に登録されていることを意味し、この場合、ＣＰＵ１１は、ステップＳＰ８に移る。そしてＣＰＵ１１は、このステップＳＰ８において、ステップＳＰ３で実行した動作モードがユーザの着目すべき動作モードである場合には、次のステップＳＰ７において、ステップＳＰ４で発行したコンテンツ番号をＥＥＰＲＯＭ１４に一時記憶する一方、ユーザの着目すべき動作モードでない場合には、次のステップＳＰ９において、当該コンテンツ番号を破棄し、ステップＳＰ１に戻る。
【００７０】
このようにしてＣＰＵ１１は、ユーザの着目すべき動作モードが設定されていない場合には、第１乃至第４の記録モードを実行する度にその都度ＥＥＰＲＯＭ１４のコンテンツ番号を更新し、当該動作モードが設定されている場合には、その設定された動作モードを実行するときにのみＥＥＰＲＯＭ１４のコンテンツ番号を更新するようになされている。
【００７１】
一方、ＣＰＵ１１は、ステップＳＰ２での実行命令の内容が再生モードであった場合には、ステップＳＰ１０に移り、このステップＳＰ１０において、ユーザの着目すべき動作モードが設定されているか否かを判定する。
【００７２】
そしてＣＰＵ１１は、ユーザの着目すべき動作モードが設定されている場合には、次のステップＳＰ１１において、コンテンツ番号に基づいて、当該動作モードに対応する各タイトルと、その他の動作モードに対応する各タイトルとに分けると共に、当該分けたタイトルごとにソートする。これに対してＣＰＵ１１は、ユーザの着目すべき動作モードが設定されていない場合には、次のステップＳＰ１２において、コンテンツ番号に基づいて、全ての動作モードに対応する各タイトルをソートする。
【００７３】
次いで、ＣＰＵ１１は、ステップＳＰ１３において、各タイトルをソート順に並べて示すタイトル表示領域ＡＲ１と、単位音声データの入手先を示す入手先表示領域ＡＲ２と、再生対象のコンテンツを選択すべき旨のコメントＣＭとを含む選択画面ＣＳＲを表示し、続くステップＳＰ１４において、ＥＥＰＲＯＭ１４に一時記憶されているコンテンツ番号のタイトルをカレントタイトルとして決定し、当該カレントタイトル上にカーソルＣＵを配置する。
【００７４】
続いてＣＰＵ１１は、ユーザによりタイトルが選択されると、ステップＳＰ１５において、当該選択されたタイトルに関連付けられている単位音声データを再生し、次のステップＳＰ１６において、ユーザの着目すべき動作モードとして再生モードが設定されている場合には、当該再生した単位音声データのコンテンツ番号をＥＥＰＲＯＭ１４に一時記憶し、ステップＳＰ１に戻る。
【００７５】
このようにしてＣＰＵ１１は、記録再生処理を実行することができるようになされている。
【００７６】
（３）本実施の形態の動作及び効果
以上の構成において、このコンテンツ記録再生装置１０は、ハードディスクドライブ１８に記録された単位音声データを再生する場合、ハードディスクドライブ１８に対する単位音声データのアクセス履歴（記録履歴及び再生履歴）を、最近のものから順に選択画面として表示するようにした。
【００７７】
従って、このコンテンツ記録再生装置１０では、複数のタイトルが一定の秩序を保って並べられると共に、最も再生可能性の高い最新の記録対象となるタイトル上にカーソルＣＵが配置されるため、ユーザは、記録履歴を即座にかつ直感的に把握することができ、この結果、希望タイトルを容易に選択することができる。
【００７８】
またこのコンテンツ記録再生装置１０は、第１〜第４の記録モード及び再生モードのうち、ユーザの着目すべきモードとして設定された設定モードでの記録履歴又は再生履歴を、最近のものから順に選択画面としても表示する。
【００７９】
従って、このコンテンツ記録再生装置１０では、ユーザが着目すべきモードに関するタイトルが一定の秩序を保って並べられると共に、当該モードでの最終履歴となるタイトル上にカーソルＣＵが配置されるため、ユーザは、着目モードの記録履歴又は再生履歴をより一段と即座にかつ直感的に把握することができる。
【００８０】
以上の構成によれば、ハードディスクドライブ１８に記録された単位音声データを再生する場合、ハードディスクドライブ１８に対する単位音声データのアクセス履歴（記録履歴及び再生履歴）を、最近のものから順に選択画面として表示するようにしたことにより、ユーザに対して、記録履歴を即座にかつ直感的に把握させて希望タイトルを容易に選択することができ、かくして使い勝手を向上することができる。
【００８１】
（４）他の実施の形態
上述の実施の形態においては、記録媒体に対する記録再生対象のコンテンツデータとして、音声コンテンツのデータを適用するようにした場合について述べたが、本発明はこれに限らず、例えば静止画コンテンツ、動画コンテンツ又はゲームコンテンツ等、この他種々のものを適用するようにしても良い。また互いに異なる種類のコンテンツデータを記録再生対象としても良い。
【００８２】
また上述の実施の形態においては、記録媒体としてハードディスクドライブ１８を適用するようにした場合について述べたが、本発明はこれに限らず、例えばＥＥＰＲＯＭ又は光ディスク等、この他種々のものを適用するようにしても良い。またこの記録媒体は、この実施の形態ではコンテンツ記録再生装置１０の内部に設けるようにしたが、所定の通信路を介して外部に設けるようにしても良い。
【００８３】
さらに上述の実施の形態においては、外部記録媒体として、ＣＤ１９及びＨＤ（ＨＤＲ２１）を適用するようにした場合について述べたが、本発明はこれに限らず、例えばＭＤ(Mini Disk(登録商標))やＢＤ(Blue-ray Disk(登録商標))等、この他種々のものを適用するようにしても良い。
【００８４】
さらに上述の実施の形態においては、コンテンツ識別情報として、ハードディスクドライブ１８に記録される単位音声データの記録順位を表す番号を適用するようにした場合について述べたが、本発明はこれに限らず、ハードディスクドライブ１８に記録される単位音声データを識別し得るこの他種々のものを適用することができる。
【００８５】
さらに上述の実施の形態においては、選択画面ＣＳＲ（図３）にタイトル表示領域ＡＲ１を設け、当該タイトル表示領域ＡＲ１に単位音声データのタイトルを表示するようにした場合について述べたが、本発明はこれに限らず、例えば単位音声データにおける属性や作者名等を加えるようにしても良い。
【００８６】
さらに上述の実施の形態においては、タイトルを降順にソートするようにした場合について述べたが、本発明はこれに限らず、例えば昇順、かな字順又はローマ字順等、この他種々のソート条件でソートするようにしても良い。
【００８７】
また、ユーザの着目すべき動作モードが設定されている場合には、動作モードに対応する各タイトルと、その他の動作モードに対応する各タイトルとに分け、当該分けたタイトルごとにソートするようにしたが、必ずしも分けなくても良い。要は、カレントタイトルを基準として他のタイトルを表示するようにすれば、この他種々の表示態様を適宜採用することができる。
【００８８】
さらに上述の実施の形態においては、第１乃至第４の記録モード（ダウンロードモード、第１のリッピングモード、第２のリッピングモード又はライブ録音モード）を実行する度に、ハードディスクドライブ１８に記録される単位音声データの記録順位を表す番号（以下、これをコンテンツ番号と呼ぶ）を発行するようにした場合について述べたが、本発明はこれに限らず、当該動作モードに遷移する度にコンテンツ番号を発行するようにしても良い。この場合、単位音楽データの一部だけを最終履歴として記録又は再生した場合であっても、その一部をカレントコンテンツとすることができる。
【００８９】
さらに上述の実施の形態においては、全ての動作モード（第１〜第４の記録モード及び再生モード）のうち最後に実行したときに発行したコンテンツ番号、あるいは、選択された動作モードを最後に実行したときに発行したコンテンツ番号に対応するコンテンツをカレントとして決定するようにした場合について述べたが、本発明はこれに限らず、当該動作モードごとに、その動作モードでのカレントタイトルを表示するようにしても良い。この場合、例えば、各種モードに対応する複数のＥＥＰＲＯＭを設け、当該動作モードを実行する度に発行されるコンテンツ番号を、その動作モードに対応するＥＥＰＲＯＭに一時記憶することによって実現可能となる。
【００９０】
このようにすれば、動作モードごとに最近のものから順に選択画面として表示することが可能となるため、より一段と使い勝手を向上することができる。
【産業上の利用可能性】
【００９１】
本発明は、映像や音楽等を再生する場合に利用可能である。
【図面の簡単な説明】
【００９２】
【図１】本発明の概要による記録再生装置を示すブロック図である。
【図２】本実施の形態によるコンテンツ記録再生装置の構成を示すブロック図である。
【図３】選択画面例（１）を示す略線図である。
【図４】モード設定時におけるコンテンツ番号の一時記憶（１）の説明に供する略線図である。
【図５】選択画面例（２）を示す略線図である。
【図６】モード設定時におけるコンテンツ番号の一時記憶（２）の説明に供する略線図である。
【図７】選択画面例（３）を示す略線図である。
【図８】記録再生処理手順を示すフローチャートである。
【符号の説明】
【００９３】
１……記録再生装置、２……記録再生処理部、３……制御部、４……再生部、５……記録部、６……ダウンロード部、７……第１のリジューム制御部、８……第２のリジューム制御部、９……第３のリジューム制御部、ＲＭ……記録媒体、ＯＴＭ……外部記録媒体、ＯＴＳ……外部サーバ、１１……ＣＰＵ、１３……操作キー、１４……ＥＥＰＲＯＭ、１８……ハードディスクドライブ、１９……ＣＤ、２１……ＨＤＲ、２３……チューナ、２４……外部入力端子、２８……ディスプレイ、ＮＴ……ネットワーク、ＣＳＲ……選択画面、ＣＭ……コメント、ＣＵ……カーソル、ＣＵＴ……カレントタイトル、ＡＲ１……タイトル表示領域、ＡＲ２……入手先表示領域、ＲＴ……記録再生処理手順。
【図１】
2007080371.tif 000003
【図２】
2007080371.tif 000004
【図３】
2007080371.tif 000005
【図４】
2007080371.tif 000006
【図５】
2007080371.tif 000007
【図６】
2007080371.tif 000008
【図７】
2007080371.tif 000009
【図８】
2007080371.tif 000010